(57)【要約】      （修正有）【課題】この考案は、表情筋のトレーニングが簡単かつ効果的に行え、目尻のシワの防止に役立つ表情筋トレーニング用具を提供する。【解決手段】表情筋トレーニング用具１は、環状部材２と、環状部材２に取り付けられた目尻引上げベルト３を有し、環状部材２は、高摩擦である第１の面と、第１の面よりも低摩擦である第２の面を有するものであり、表情筋トレーニング用具１を顔面に装着すると、目尻引上げベルト３によって目尻が上方に引き上げられた状態が保持され、継続的に表情筋が鍛えられる。【選択図】図１
0003112774.tif 000002
【実用新案登録請求の範囲】
【請求項１】
環状部材と、環状部材に取り付けられた目尻引上げベルトを有し、環状部材は、高摩擦である第１の面と、第１の面よりも低摩擦である第２の面を有する表情筋トレーニング用具。
【請求項２】
第１の面にシリコン樹脂が設けられている請求項１に記載の表情筋トレーニング用具。
【請求項３】
環状部材の内周側に突出した耳当て部が設けられている請求項１または請求項２に記載の表情筋トレーニング用具。
【請求項４】
目尻引上げベルトが着脱可能に取り付けられている請求項１ないし請求項３のいずれかに記載の表情筋トレーニング用具。
【考案の詳細な説明】
【技術分野】
【０００１】
この考案は、顔面の表情筋のトレーニングを行うための美容用品に関するものである。
【背景技術】
【０００２】
顔面の表情筋を鍛えることにより、表情を豊かにするとともに、顔のたるみを防止する美容法が非特許文献１に記載されている。同文献には、さまざまな表情を作る練習をすることによって表情筋をトレーニングし、目のまわりのシワも防止できることが記載されている。また、テレビ放送などでも、指で目尻を引き上げることによって表情筋を鍛えることが盛んに紹介されている。
【０００３】
また、特許文献１には、年齢とともに下がってくる顔面のたるみを、簡単に装着が出来就寝中の睡眠を妨げることもなく、顔への負担も少なく効果的に引き上げを行うための顔面たるみ防止ベルトが記載されている。
【非特許文献１】吉丸美枝子著、「笑顔筋でスーパー美容法」、主婦と生活社、第３刷、２００３年９月８日
【特許文献１】特開２００５−７４２０３号
【考案の開示】
【考案が解決しようとする課題】
【０００４】
非特許文献１に記載された美容法や指で目尻を引き上げるトレーニングは長時間継続して行うことが困難である。そこで、自分で特に動作を継続しなくても顔面の表情筋のトレーニングを行うことができる用具があれば便利である。
【０００５】
特許文献１にはその顔面たるみ防止ベルトにより顔全体を引き上げることにより、頬・目じり・顎のたるみを防止し、しわの発生を少なくすることが出来、顔やせの効果が得られると記載されている。しかし、顎ベルト、額ベルト、頬ベルトと多数のベルトと装着しなければならず、さらにいくつものバックルや面ファスナーの調整を行う必要があり、不便である。
【０００６】
この考案は、表情筋のトレーニングが簡単かつ効果的に行え、目尻のシワの防止に役立つ表情筋トレーニング用具を提供することを目的とする。
【課題を解決するための手段】
【０００７】
上述の課題を解決するため、この考案の表情筋トレーニング用具は、環状部材と、環状部材に取り付けられた目尻引上げベルトを有し、環状部材は、高摩擦である第１の面と、第１の面よりも低摩擦である第２の面を有するものである。第１の面にシリコン樹脂を設けて高摩擦にしてもよい。また、環状部材の内周側に突出した耳当て部が設けてもよい。さらに、目尻引上げベルトを着脱可能に取り付けてもよい。
【考案の効果】
【０００８】
この考案の表情筋トレーニング用具は簡単に装着することができ、装着するだけで目尻を強く引き上げることができ、簡単かつ効果的に表情筋のトレーニングが行えるという効果を有する。
【考案を実施するための最良の形態】
【０００９】
この考案を実施するための最良の形態について説明する。図１は表情筋トレーニング用具を示す平面図である。表情筋トレーニング用具１は、人の頭の大きさより若干小さい内径を有する環状部材２と、この環状部材２に取り付けられた目尻引上げベルト３を有する。
【００１０】
環状部材２はある程度の幅を有する帯状の部材を縫製などによって環状に形成したものである。この環状部材２には２箇所、内周側に突き出した耳当て部４が形成されている。
【００１１】
図２は図１のＡ−Ａで示す位置の断面図であり、環状部材２の断面を示すものである。ここでは、伸縮性に富んだ素材が使用されており、外層５が化学繊維等よりなる布であり、内層６がスポンジになっている。この考案において、環状部材２の第１の面７は皮膚と接触したときに強い摩擦が生じる高摩擦面となっている。たとえば、この第１の面７にはシリコン樹脂を塗布して高摩擦状態にすることができる。一方、第２の面８は第１の面７の面よりも摩擦が小さいものである。ここでは、布地が外部に現れるようにすることにより低摩擦面を形成している。
【００１２】
環状部材２の左右に目尻引上げベルト３が設けられている。この例ではベルト３は取り付け部９において縫製されているが、面ファスナーやボタンなどによって着脱可能に取り付けられていてもよい。目尻引上げベルト３のうちの一方の端部には面ファスナー１０が設けられており、他方の目尻引上げベルト３の端部に結合できるようになっている。
【００１３】
次に、この表情筋トレーニング用具１の使い方について説明する。まず、図１に示すように目尻引上げベルト３の端部同士が分離された状態にする。そして、低摩擦面である第２の面８が下側になるようにして両手で持上げ、頭を環状部材２の内部に入れる。このとき、低摩擦面である第２の面８が頭髪に接触するので、ほとんど抵抗なく頭は環状部材２の穴を通過する。そして、環状部材２が耳を通過したとき、高摩擦面である第１の面７は上側になっている。目尻引上げベルト３の取り付け部９が目尻の近くにくるように位置を調整し、目尻引上げベルト３を後頭部に巻いて、面ファスナー１０によって端部同士を頭の後ろ側でつなげる。
【００１４】
図３は表情筋トレーニング用具の使用状態を示す正面図であり、図４は同右側面図、図５は同背面図である。このように表情筋トレーニング用具１を顔面に装着すると、目尻引上げベルト３によって目尻が上方に引き上げられた状態が保持される。こうして、表情筋トレーニング用具１を装着している間、継続的に目尻が引き上げられ、表情筋が鍛えられる。したがって、テレビを見ていたり、他の作業を行いながら表情筋のトレーニングを必要なだけ継続することができる。
【００１５】
面ファスナー１０による接続位置によって目尻を引き上げる強さを自由に調整することができる。耳当て部４によって環状部材２は耳の前側にしっかり固定されているので、目尻引上げベルト３をきつく締めても表情筋トレーニング用具１が顔面から外れない。したがって、表情筋をトレーニングするのに十分な強さで引っ張り続けることができる。このように表情筋の効果的なトレーニングが簡単に実現でき、目尻のシワの防止に有効である。
【産業上の利用可能性】
【００１６】
この考案は、表情筋のトレーニングを簡単かつ効果的にできる美容用品として利用することができる。
【図面の簡単な説明】
【００１７】
【図１】表情筋トレーニング用具を示す平面図である。
【図２】環状部材の断面図である。
【図３】表情筋トレーニング用具の使用状態を示す正面図である。
【図４】同右側面図である。
【図５】同背面図である。
【符号の説明】
【００１８】
１．表情筋トレーニング用具
２．環状部材
３．目尻引上げベルト
４．耳当て部
５．外層
６．内層
７．第１の面
８．第２の面
９．取り付け部
１０．面ファスナー
【図１】
0003112774.tif 000003
【図２】
0003112774.tif 000004
【図３】
0003112774.tif 000005
【図４】
0003112774.tif 000006
【図５】
0003112774.tif 000007